(57)【要約】【課題】撮影画像等の特定画像に、手書き感覚で容易且つ自由に文字情報等の他の画像を追加することができる電子機器を提供すること。【解決手段】制御部５が、表示部に特定の画像を表示させた状態で、カメラ機構３で撮影している画像を特定の画像に合成して表示部に表示させると共に合成した画像を画像情報として記憶可能な画像合成処理部を有し、画像合成処理部が、カメラ機構３による撮影視野内で移動する対象Ｐを合成する画像から削除すると共に撮影視野内で経時的に追加される非移動対象Ｂの画像情報のみを認識してこれを特定の画像に合成して記憶を行う電子機器１を提供する。【選択図】    図３
2004320535.tif 000002
【特許請求の範囲】
【請求項１】
筐体にカメラ機構と該カメラ機構で撮影した画像及びその他の情報を表示可能な表示部と該表示部の表示を制御する制御部とを備えた電子機器であって、
前記制御部が、前記表示部に特定の画像を表示させた状態で、前記カメラ機構で撮影している画像を前記特定の画像に合成して表示部に表示させると共に合成した画像を画像情報として記憶可能な画像合成処理部を有し、
該画像合成処理部が、前記カメラ機構による撮影視野内で移動する対象を前記合成する画像から削除すると共に撮影視野内で経時的に追加される非移動対象の画像情報のみを認識してこれを前記特定の画像に合成して前記記憶を行うことを特徴とする電子機器。
【請求項２】
請求項１に記載の電子機器において、
前記画像合成処理部が、前記カメラ機構で撮影している画像を一定のコントラストで二値化処理し前記合成を行うことを特徴とする電子機器。
【請求項３】
請求項１又は２に記載の電子機器において、
前記画像合成処理部が、前記特定の画像及び前記カメラ機構で撮影している画像の少なくとも一方を半透明化処理して前記合成を行うことを特徴とする電子機器。
【請求項４】
請求項１から３のいずれかに記載の電子機器において、
前記カメラ機構が、撮影対象に光を照射して前記撮影視野の外枠又は四隅を示す視野枠光表示機構を備えていることを特徴とする電子機器。
【請求項５】
請求項１から４のいずれかに記載の電子機器において、
ペン型入力部材を備え、
前記画像合成処理部が、前記ペン型入力部材のペン先を認識するペン先認識手段を備え、
該ペン先認識手段で認識されたペン先の移動軌跡のみを前記特定の画像上に表示して合成することを特徴とする電子機器。
【請求項６】
請求項５に記載の電子機器において、
前記ペン型入力部材のペン先に発光部が設けられ、
前記ペン先認識手段が、前記発光部の光を前記ペン先として認識可能とされていることを特徴とする電子機器。
【請求項７】
請求項５又は６に記載の電子機器において、
前記カメラ機構が、前記筐体上の特定領域を撮影可能とされ、
前記ペン先認識手段が、前記ペン型入力部材のペン先を前記特定領域上で移動させた際に予め記憶されている前記特定領域の位置情報に基づいて前記ペン先の位置を認識可能とされていることを特徴とする電子機器。
【請求項８】
請求項１から７のいずれかに記載の電子機器において、
前記記憶された画像情報を無線通信により伝送可能な通信機構を備えていることを特徴とする電子機器。
【発明の詳細な説明】
【０００１】
【発明の属する技術分野】
本発明は、カメラ付き携帯電話等のカメラ機構を有する電子機器に関する。
【０００２】
【従来の技術】
周知のように、カメラ機能を備えた携帯電話やノート型パーソナルコンピュータ等の電子機器は、様々な種類のものが提供されている。特に、携帯電話については、毎年新たな機能が付加されて提供されている。例えば、内蔵された小型カメラで、静止画や動画を撮影する機能や、撮影した画像をインターネット等により交信する機能等が付加されている。このような多種多様な機能の中でも、特にカメラ機能を付加したことで、機能性、便利性が向上し携帯電話の需要が増大しているのが現状である。そのため、カメラ機構を利用した様々な携帯電話が提供されている。
【０００３】
そのうちの一つとして、カメラ部と本体とを着脱可能にした携帯電話が知られている（例えば、特許文献１参照）。
この携帯電話は、着脱可能なカメラ部及び本体を備えており、双方に近距離無線制御部が設けられている。また本体は、カメラ部から送られてきた画像を処理する画像処理部及び画像を表示するディスプレイを有している。
この携帯電話による撮影を行う場合、本体を見易い場所に置いた後、本体から外したカメラ部を被写体の付近まで移動させ、本体のディスプレイを確認しながら撮影を行うことができる。また、撮影した画像をテキストデータに変換し、例えば、電話番号、インターネットアドレス、メール本文といった情報として用いることで、容易に通話、インターネット接続、メール送信等を行うことができる。
また、画像上に文字等を追加する手段として、従来よりタッチパネルを用いて直接表示画面上に文字情報等を追加し、合成する技術が知られている。
【０００４】
【特許文献１】
特開２００２−１５２６９６号公報（段落番号０００６−００７１段落、第６図）
【０００５】
【発明が解決しようとする課題】
ところで、上記特許文献１に記載の携帯電話では、撮影画像をテキストデータに変換する機能を利用して、例えば、電話番号をカメラ部で撮影して本体に送り、本体の画像処理部により撮影画像を電話番号のテキストデータに変換してメール送信等を行なうといったことは容易にできたが、撮影画像にテキストデータを加えてメール送信等を容易に行なうことは難しかった。特に、撮影画像等に手書き感覚で容易且つ自由に文字情報を追加することは困難であった。
また、タッチパネルを用いる場合、高コストとなってしまうと共に、表示部の透過度を下げてしまうため、画面が暗くなるといった不都合があった。
【０００６】
この発明は、このような事情を考慮してなされたもので、その目的は、撮影画像等の特定画像に、手書き感覚で容易且つ自由に文字情報等の他の画像を追加することができる電子機器を提供することである。
【０００７】
【課題を解決するための手段】
上記の目的を達成するために、この発明は以下の手段を提供している。
本発明の電子機器は、筐体にカメラ機構と該カメラ機構で撮影した画像及びその他の情報を表示可能な表示部と該表示部の表示を制御する制御部とを備えた電子機器であって、前記制御部が、前記表示部に特定の画像を表示させた状態で、前記カメラ機構で撮影している画像を前記特定の画像に合成して表示部に表示させると共に合成した画像を画像情報として記憶可能な画像合成処理部を有し、  該画像合成処理部が、前記カメラ機構による撮影視野内で移動する対象を前記合成する画像から削除すると共に撮影視野内で経時的に追加される非移動対象の画像情報のみを認識してこれを前記特定の画像に合成して前記記憶を行うことを特徴とするものである。
【０００８】
この発明に係る電子機器においては、画像合成処理部が、カメラ機構による撮影視野内で移動する対象を合成する画像から削除すると共に撮影視野内で経時的に追加される非移動対象の画像情報のみを認識するので、例えば、撮影視野内で文字を書いた場合、手の動き等の移動対象は削除され、記載された文字情報等の非移動対象のみが認識される。これにより、画像合成処理部は、文字情報等の非移動対象のみを特定画像に合成して表示部に表示すると共に記憶することが可能になる。従って、画像等の特定画像に対して、後から文字情報等を容易に追加して合成させることができる。また、文字情報を合成する際、カメラ機構で撮影しながら合成できるので、特定画像に対して位置合わせや大きさ等を表示部で確認することができる。更に、既存のカメラ機構を有効に利用することができ、合成のために別個の撮影手段を用いなくて済む。
【０００９】
本発明の電子機器は、上記本発明の電子機器において、前記画像合成処理部が、前記カメラ機構で撮影している画像を一定のコントラストで二値化処理し前記合成を行うことを特徴とするものである。
この発明に係る電子機器においては、画像合成処理部が、カメラ機構で撮影している画像を一定のコントラストで二値化処理して合成するので、撮影画像の濃淡を識別して白黒の二値画像にする。これにより、例えば、紙面に書かれた文字情報を黒と認識するので、該文字情報を背景である紙面と区別して特定画像に合成することができる。
【００１０】
本発明の電子機器は、上記本発明の電子機器において、前記画像合成処理部が、前記特定の画像及び前記カメラ機構で撮影している画像の少なくとも一方を半透明化処理して前記合成を行うことを特徴とするものである。
この発明に係る電子機器においては、特定画像に撮影画像を合成する際に、両画像の少なくとも一方を半透明化できるので、例えば、特定画像に対して撮影画像を重ね合わせる場合でも、表示部を介して撮影画像を見ることができると共に特定画像に対して位置合わせを容易に行うことができる。
【００１１】
本発明の電子機器は、上記本発明のいずれかに記載の電子機器において、  前記カメラ機構が、撮影対象に光を照射して前記撮影視野の外枠又は四隅を示す視野枠光表示機構を備えていることを特徴とするものである。
この発明に係る電子機器においては、視野枠光表示機構により、撮影対象に撮影視野の外枠又は四隅を示す光を照射するので、撮影画像を合成するときの目安となる。即ち、表示部に表示できる範囲が判るので、合成の位置合わせを容易に行うことができる。
【００１２】
本発明の電子機器は、上記本発明のいずれかに記載の電子機器において、ペン型入力部材を備え、前記画像合成処理部が、前記ペン型入力部材のペン先を認識するペン先認識手段を備え、該ペン先認識手段で認識されたペン先の移動軌跡のみを前記特定の画像上に表示して合成することを特徴とするものである。
この発明に係る電子機器においては、画像合成処理部が、ペン型入力部材のペン先を認識するペン先認識手段を備えているので、例えば、カメラ機構の撮影範囲内において、ペン型入力部材により空中で文字等を書いたとしてもペン先の移動軌跡を認識して特定画像に表示可能である。即ち、文字等を特定画像に合成
する場合、この文字等を紙面上に書く必要はない。これにより、例えば、文字等を記載する紙がない場合でも、特定画像に文字等を合成することができる。
【００１３】
また、本発明の電子機器は、前記ペン型入力部材のペン先に発光部が設けられ、前記ペン先認識手段が、前記発光部の光を前記ペン先として認識可能とされていることを特徴とするものである。
この発明に係る電子機器においては、ペン先認識手段部が、発光部の光をペン先として認識するのではっきりと区別でき、読み取りミスが低減される。これにより、より正確に文字等を認識することができ、信頼性を向上させることができる。
【００１４】
本発明の電子機器は、上記本発明の電子機器において、前記カメラ機構が、前記筐体上の特定領域を撮影可能とされ、前記ペン先認識手段が、前記ペン型入力部材のペン先を前記特定領域上で移動させた際に予め記憶されている前記特定領域の位置情報に基づいて前記ペン先の位置を認識可能とされていることを特徴とするものである。
この発明に係る電子機器においては、ペン先認識手段が、カメラ機構により撮影した特定領域の位置情報を予め記憶しているので、該特定領域上で移動させたペン先位置を位置情報と比較することにより、ペン先の位置を正確に検出することが可能となる。従って、ペン先認識手段は、複雑な解析処理等を行うことなく、容易にペン先を認識することができ、ペン先を認識してから表示部に表示する時間を短縮することができる。
【００１５】
本発明の電子機器は、上記本発明のいずれかに記載の電子機器において、前記記憶された画像情報を無線通信により伝送可能な通信機構を備えていることを特徴とするものである。
この発明に係る電子機器においては、無線通信により伝送可能な通信機構を備えているので、特定画像と合成した画像情報を無線通信により簡単に送信可能である。これにより、画像情報を有効に活用できると共に更なる機能性を向上させることができる。
【００１６】
【発明の実施の形態】
以下、本発明に係る電子機器の第１実施形態について、図１から図４を参照して説明する。
本実施形態の電子機器は、図１から図３に示すようにケーシング（筐体）２にカメラ部（カメラ機構）３と、該カメラ部３で撮影した画像及びその他の情報を表示可能な液晶パネル（表示部）４と、該液晶パネル４の表示を制御する制御部５とを備えた折りたたみ式の携帯電話１である。
また、制御部５は、図４に示すように液晶パネル４に特定画像Ａを表示させた状態で、カメラ部３で撮影している画像を特定画像Ａに合成して液晶パネル４に表示させると共に、合成した合成画像Ｃを画像情報として記憶可能な画像合成処理部６を有している。
更に、本実施形態の携帯電話１は、記憶された画像情報である合成画像Ｃを無線通信により伝送可能な通信機構１０を備えている。
【００１７】
上記ケーシング２は、上記液晶パネル４が設けられている第１ケーシング２ａと、電話番号やメール文を入力したり、インターネット等のアプリケーションソフトを起動させるための複数のボタンからなる操作部７が設けられている第２ケーシング２ｂとを備えている。また、第２ケーシング２ｂには、伸縮自在のアンテナ部８が設けられている。
【００１８】
上記制御部５は、ケーシング２内に内蔵されており、操作部７で入力された入力信号を受けて、液晶パネル４の表示制御やその他の制御を総合的に行っている。また、制御部５は、予めカメラ部３で撮影された特定画像Ａを記憶しており、操作部７の操作により所望する特定画像Ａを液晶パネル４に表示することが可能である。
また、上記画像合成処理部６は、図３及び図４に示すように、カメラ部３による撮影視野内で移動する対象を合成する画像から削除すると共に、撮影視野内で経時的に追加される非移動対象Ｂの画像情報のみを認識して、これを特定画像Ａに合成して記憶するよう設定されている。即ち、画像合成処理部６は、特定画像Ａに非移動対象Ｂの画像情報を合成して合成画像Ｃとすると共に、該合成画像Ｃを記憶可能とされている。
【００１９】
また、ケーシング２内には、画像合成処理部６で記憶された合成画像Ｃをアンテナ部８を介して無線通信により通信するための通信部９が内蔵されている。即ち、これらアンテナ部８及び通信部９は、上記通信機構１０を構成している。
【００２０】
このように構成された携帯電話１を用いて特定画像Ａに非移動対象Ｂを合成する場合について以下に説明する。
まず、図１及び図４（ａ）に示すように、操作部７を操作して合成を希望する特定画像Ａを液晶パネル４に表示させる。本実施形態では、２軒の家屋を撮影した画像情報を特定画像Ａとしている。
次いで、液晶パネル４に特定画像Ａを表示した状態で、図３に示すようにカメラ部３により紙面１５を撮影する。そして、液晶パネル４を見ながら、ペンＰを用いて紙面１５上に例えば、矢印及び”ＨＯＭＥ“の文字を記載する。
【００２１】
この際、画像合成処理部６により、カメラ部３による撮影視野内で移動する対象が合成する画像から削除される。即ち、手（図示略）やペンＰの動きが削除される。これにより、画像合成処理部６は、図４（ｂ）に示すように経時的に追加される非移動対象Ｂである矢印及び”ＨＯＭＥ“の文字のみを認識して、液晶パネル４に表示させる。このとき、特定画像Ａの一方の家屋（紙面に対して左側）の上方に、非移動対象Ｂが位置するように、カメラ部３と紙面１５との距離及び相対位置を調整する。そして、操作部７を介して画像合成処理部６により特定画像Ａに非移動対象Ｂを表示した画像情報を合成して合成画像Ｃにすると共に、該合成画像Ｃを記憶させる。この記憶された合成画像Ｃは、通信機構１０により、例えば、インターネット等を利用して容易に送信することも可能である。
【００２２】
上述したように、この携帯電話１においては、画像合成処理部６によって、カメラ部３による撮影視野内で経時的に追加される非移動対象Ｂの画像情報のみを認識することができる。従って、特定画像Ａに対して、矢印及び”ＨＯＭＥ“の文字を容易に手書き感覚で追加して合成画像Ｃとすることができる。また、合成する際、カメラ部３で撮影しながら合成できるので、特定画像Ａに対して位置合わせや大きさ等を確認することができる。
更に、通信機構１０により合成画像Ｃを容易に通信することができ、合成画像Ｃを有効に利用することが可能である。
【００２３】
なお、上記実施形態において、画像合成処理部６は、撮影視野内で経時的に追加される非移動対象Ｂの画像情報のみを認識して特定画像Ａに合成させたが、例えば、画像合成処理部６に、カメラ部３で撮影している画像を一定のコントラストで二値化処理させる機能を付加して合成を行っても構わない。
この場合では、画像合成処理部６は、撮影画像の濃淡を識別して白黒の二値画像に置き換えるので、例えば、紙面１５に書かれた非移動対象Ｂを黒と判断し、紙面１５を白と判断する。従って、非移動対象Ｂを紙面１５とは別に明確に区別することができ、該非移動対象Ｂを特定画像Ａに合成して合成画像Ｃを得ることができる。
【００２４】
次に、本発明の第２実施形態を、図５及び図６を参照して説明する。この第２実施形態においては、第１実施形態における構成要素と同一の部分については、同一の符号を付しその説明を省略する。
第２実施形態と第１実施形態との異なる点は、第１実施形態では、特定画像Ａに対して非移動対象Ｂを合成する際に、液晶パネル４上で特定画像Ａ及び非移動対象Ｂをはっきりと視認しながら合成していたのに対し、第２実施形態では、特定画像Ａを半透明化させた状態で合成する点である。即ち、画像合成処理部６は、特定映像Ａ及びカメラ部３で撮影している画像の少なくとも一方を半透明化処理して合成を行う機能を有している。
【００２５】
本実施形態では、図５に示すように紙面１５上に非移動対象Ｂとして丸印、矢印及び”ＨＯＭＥ“の文字を記載した場合、液晶パネル４には、図６（ａ）に示すように特定画像Ａが半透明化された状態で非移動対象Ｂが表示される。即ち、特定画像Ａを透かした状態で非移動対象Ｂを確認することが可能である。これにより、特定画像Ａに非移動対象を重ね合わせて合成する場合でも、非移動対象Ｂが見易くなり、位置ズレを起こすことなく容易に図６（ｂ）に示す合成画像Ｃを得ることができる。
なお、本実施形態では、特定画像Ａを半透明化処理する構成を採用したが、非移動対象Ｂを半透明化処理しても構わない。この場合では、特定画像Ａが見易い状態となるのはもちろんである。
【００２６】
次に、本発明の第３実施形態を、図７及び図８を参照して説明する。この第３実施形態においては、第１実施形態における構成要素と同一の部分については、同一の符号を付しその説明を省略する。
第３実施形態と第１実施形態との異なる点は、第１実施形態では、カメラ部３が、単に紙面１５を撮影していたのに対し、第３実施形態の携帯電話２０では、カメラ部３が撮影対象である紙面１５にレーザ光（光）Ｌを照射して撮影視野の外枠又は四隅を示す視野枠光表示機構２１を備えている点である。
【００２７】
即ち、図７及び図８に示すように、第１ケーシング２ａには、カメラ部３の上方に上記視野枠光表示機構２１が設けられており、カメラ部３と紙面１５との距離に応じて、液晶パネル４に表示できる撮影視野範囲２２を示す４つのレーザポインタ２３を紙面１５上に表示する機能を有している。つまり、図７に示すように、撮影視野範囲２２内の四隅に文字２４を書いた場合、図８に示すように、液晶パネル４の四隅に文字２４が表示されることとなる。従って、液晶パネル４に表示できる範囲が容易にわかり、撮影する際の目安となるので、合成を容易に行えることができる。
なお、本実施形態では、視野枠光表示機構２１は、レーザ光Ｌを照射して撮影視野の四隅を示すレーザポインタ２３を表示させたが、撮影視野の外枠を示すようにレーザ光Ｌを照射しても構わない。
【００２８】
次に、本発明の第４実施形態を、図９から図１１を参照して説明する。この第４実施形態においては、第１実施形態における構成要素と同一の部分については、同一の符号を付しその説明を省略する。
第４実施形態と第１実施形態との異なる点は、第１実施形態では、画像合成処理部６が、撮影範囲内で経時的に紙面１５上に書かれて追加される非移動対象Ｂを認識して特定画像Ａに合成していたのに対し、第４実施形態では、撮影範囲内で移動するペン先を認識して特定画像に合成する点である。
【００２９】
即ち、本実施形態の携帯電話３０は、図９に示すように、専用ペン（ペン型入力部材）３１を備えており、図１０に示すように画像合成処理部６が、専用ペン３１のペン先３２をその形状等により認識するペン先認識部（ペン先認識手段）３３を備えている。また、画像合成処理部６は、ペン先認識部３３で認識されたペン先３２の移動軌跡のみを特定画像Ａ上に表示して合成する機能を有している。なお、専用ペン３１は、第２ケーシング２ｂの図示しない収納部に収納可能とされている。
このように構成された携帯電話３０では、図９に示すようにカメラ部３の撮影視野内にて専用ペン３１により文字３４を書く（又はなぞる）だけで、ペン先認識部３３がペン先３２の移動軌跡を認識して、図１１に示すように特定画像Ａに文字３４が合成された合成画像Ｃを得ることが可能である。従って、文字３４を書く紙等がない場合でも、容易に特定画像Ａに文字３４等を合成することができる。
【００３０】
なお、上述した専用ペン３１のペン先３２に、図１２に示すようにＬＥＤ等の発光部３２ａを設けても構わない。この場合、ペン先認識部３３を、発光部３２ａの光をペン先として認識するように機能させる。
このように構成させることで、ペン先認識部３３が、発光部３２ａをはっきりと認識するので、読み取りミス等が低減する。従って、画像合成処理部６は、より正確に文字等を認識でき、信頼性を向上させることができる。また、夜間等の周囲が暗い場合でも使用することができる。
なお、この発光部３２ａにＯＮ／ＯＦＦ機能を持たせるようにしても良い。このように構成することで、例えば、漢字の「二」を認識させたい場合に、一画目と二画目とを描くときだけＯＮ（発光）することにより、より正確に文字等を認識させることができる。
【００３１】
更に、上記第４実施形態では、ペン先認識部３３が、空中等で移動させた専用ペン３１の移動軌跡を認識していたが、専用ペン３１を指定した特定領域上で移動させて認識するように構成しても構わない。
例えば、図１３に示す携帯電話４０は、第１ケーシング２ａの内側に第２カメラ部（カメラ機構）４１を備えている。この第２カメラ部４１は、第２ケーシング２ｂの上面全体を撮影可能とされている。即ち、第２ケーシング２ｂに設けられた操作部７を撮影可能とされている。なお、本実施形態においては、第２ケーシング２ｂの上面全体を特定領域Ｗとする。また、ペン先認識部３３には、予め特定領域Ｗの位置情報が記憶されている。即ち、操作部７の各操作ボタンの配列等が既に記憶されている。更に、ペン先認識部３３は、専用ペン３１のペン先３２を特定領域Ｗ上で移動させた際に予め記憶されている特定領域Ｗの位置情報に基づいてペン先３２の位置を認識可能とされている。
【００３２】
この携帯電話４０では、専用ペン３１を特定領域Ｗ上で移動させた際に、ペン先認識部３３は、第２カメラ部４１により撮影したペン先３２位置と特定領域Ｗの位置情報とを比較することによりペン先３２位置を認識する。これにより、特定領域Ｗ上で専用ペン３１を移動させることにより、ペン先３２の移動軌跡を認識することができる。従って、ペン先認識部３３は、予め記憶された位置情報に基づいてペン先３２位置を認識するので、複雑な解析等を行うことなく、容易にペン先３２を認識することができ、液晶パネル４に表示するまでの時間を短縮することができる。
【００３３】
なお、本実施形態においては、特定領域Ｗ上を撮影するために第２カメラ部４１を設けた構成を採用したが、例えば、前述したカメラ部３を１８０°回転可能に第１ケーシング２ａに設け、特定領域Ｗ上を撮影可能に構成しても構わない。また、本実施形態においても、ペン先に発光部を設けた専用ペン３１を用いても良い。この場合、ペン先を特定領域Ｗ上にタッチさせたときだけ発光させることが好ましく、これにより、より正確な文字等の認識を行わせることができる。
また、本実施形態においては、専用ペン３１のペン先の移動軌跡を認識するように構成したが、ペン先の代わりに、特定領域Ｗ上をなぞった指先の移動軌跡を認識するように構成しても構わない。このように構成することで、特定の部材を用いなくとも文字等を簡単に認識させることができる。
【００３４】
また、特定領域Ｗ上で、ペン先や指先の所定の軌跡動作を行うことで、その動作に対応させた所定の機能を実行させるようにしても良い。例えば、特定領域Ｗの上端部から下端部にかけての直線的な移動軌跡を行った場合は、液晶パネル４に表示された住所録一覧のスクロールアップ操作を行うように設定したり、また、その反対に下端部から上端部にかけての直線的な移動軌跡を行った場合には、住所録一覧のスクロールダウン操作を行うように設定する。このように構成することで、特定のキー等を操作することなく、所定の機能を簡単に実行させることができ、操作性を向上させた携帯電話等を実現することができる。
【００３５】
なお、本発明の技術分野は、上記実施の形態に限定されるものではなく、本発明の趣旨を逸脱しない範囲において種々の変更を加えることが可能である。
【００３６】
例えば、上記各実施形態では、電子機器として、カメラ機構付き携帯電話としたが、携帯電話に限られるものではなく、筐体にカメラ機構と、該カメラ機構で撮影した画像等を表示可能な表示部と、表示部の表示を制御する制御部とを備えた電子機器であれば構わない。例えば、カメラ機構を有するＰＤＡ（パーソナルデータアシスタンス；携帯情報端末）やノート型パーソナルコンピュータやデジタルカメラ等でも良い。
【００３７】
【発明の効果】
以上説明したように、本発明の電子機器によれば、画像合成処理部が、カメラ機構による撮影視野内で経時的に追加される非移動対象の画像情報のみを認識するので、追加される文字情報等の非移動対象のみを特定画像に合成して表示部に表示でき、特定画像に対して、後から文字情報等を容易に追加して合成させることができる。
また、タッチパネル等の高価な部材を用いずに低コストに実現することができ、純粋にソフトウェアだけで手書きの文字情報等を画像に取り込み合成することが可能になる。
【図面の簡単な説明】
【図１】本発明の第１実施形態に係る携帯電話を示す斜視図である。
【図２】図１に示す携帯電話に内蔵されている制御部等の構成図である。
【図３】図１に示す携帯電話のカメラ部によって紙面を撮影している状態を示す斜視図である。
【図４】図１に示す携帯電話の液晶パネルの表示例を示す図であって、
（ａ）は特定画像Ａを表示させた状態を示し、（ｂ）は特定画像に文字情報等の非移動対象を合成した合成画像を示す図である。
【図５】本発明の第１実施形態に係る携帯電話の他の例であって、携帯電話によって撮影されている紙面上の非移動対象を示す上面図である。
【図６】本発明の第１実施形態に係る携帯電話の他の例であって、携帯電話の液晶パネルの表示例を示す図である。（ａ）は特定画像Ａを透明化させた状態で文字情報等の非移動対象を表示した状態を示し、（ｂ）は特定画像に非移動対象を合成した合成画像を示す図である。
【図７】本発明の第２実施形態に係る携帯電話を示す斜視図である。
【図８】図７に示す携帯電話の液晶パネルの表示例を示す図である。
【図９】本発明の第３実施形態に係る携帯電話を示す斜視図である。
【図１０】図９に示す携帯電話に内蔵されている制御部等の構成図である。
【図１１】図９に示す携帯電話の液晶パネルの表示例を示す図である。
【図１２】本発明の第３実施形態に係る携帯電話で使用される専用ペンの他の例を示す図である。
【図１３】本発明の第４実施形態に係る携帯電話を示す斜視図である。
【符号の説明】
Ａ    特定画像
Ｂ    非移動対象
Ｌ    視野枠光表示機構が照射したレーザ光（光）
Ｗ    特定領域
１、２０、３０、４０    携帯電話（電子機器）
２    ケーシング（筐体）
３    カメラ部（カメラ機構）
４    液晶パネル（表示部）
５    制御部
６    画像合成処理部
１０    通信機構
２１    視野枠光表示機構
３１    専用ペン（ペン型入力部材）
３２    ペン先
３２ａ    発光部
３３    ペン先認識部（ペン先認識手段）
４１    第２カメラ部（カメラ機構）
【図１】
2004320535.tif 000003
【図２】
2004320535.tif 000004
【図３】
2004320535.tif 000005
【図４】
2004320535.tif 000006
【図５】
2004320535.tif 000007
【図６】
2004320535.tif 000008
【図７】
2004320535.tif 000009
【図８】
2004320535.tif 000010
【図９】
2004320535.tif 000011
【図１０】
2004320535.tif 000012
【図１１】
2004320535.tif 000013
【図１２】
2004320535.tif 000014
【図１３】
2004320535.tif 000015